(57)【要約】【課題】基礎上の空隙構造において外壁下地材を取り付ける際に、外壁下地材を容易に取り付けることが可能な基礎上の空隙構造を提供する。【解決手段】本発明の基礎上の空隙構造１は、建築物における基礎２と土台３との間に、基礎パッキン１０を所定の間隔毎に複数介在させて空隙を設けた構造であり、基礎２の上面に配設され且つ基礎パッキン１０と結合された外壁補助部材２０を備えている。外壁補助部材２０は、土台３上に配設された柱３１の外側に取り付けられた外壁下地材３１の下端に位置し、外壁下地材３１の外側面からはみ出していない。【選択図】    図１
2004225461.tif 000002
【特許請求の範囲】
【請求項１】
建築物における基礎と土台との間に、基礎パッキンを所定の間隔毎に複数介在させて空隙を設けた構造において、
前記基礎の上面に配設され且つ前記基礎パッキンと結合された外壁補助部材を備えており、
前記外壁補助部材は、前記土台上に配設された建築構造材の外側に取り付けられた外壁下地材の下端に位置し、該外壁下地材の外側面からはみ出していないことを特徴とする基礎上の空隙構造。
【請求項２】
前記基礎パッキンの側面には、位置決め孔が設けられており、
前記外壁補助部材は、その上側部が前記外壁下地材の下端と密着しており、その内側部に突状係合部を有し、該突状係合部が前記位置決め孔に嵌合することにより前記基礎パッキンと密着結合していることを特徴とする請求項１記載の基礎上の空隙構造。
【請求項３】
請求項１又は２に記載の基礎上の空隙構造に用いられる基礎パッキンであって、該基礎パッキンの少なくとも二つの側面に前記位置決め孔が設けられていることを特徴とする基礎パッキン。
【発明の詳細な説明】
【０００１】
【発明の属する技術分野】
本発明は、建築物における基礎と土台との間に基礎パッキンを介在させた空隙構造に関し、特に、この空隙構造において外壁下地材を取り付ける技術に関する。
【０００２】
【従来の技術】
近年、木造住宅等の建築物においては、基礎と土台との間に基礎パッキンを複数介在させてこれらの間に空隙を形成することにより、床下の通気性を確保するようにしている（特許文献１参照）。
ところで、従来より、このような基礎上の空隙構造においては、土台上に立設された柱を介して外壁下地材を取り付ける場合、まず、例えば床パネルなどのように所定高さの残り材を基礎上に載置し、次いで、外壁下地材をその残り材上に載置してから釘で柱に固定することにより、基礎パッキンにより形成された空隙を外壁下地材で埋めないようにしている。
【特許文献１】
特開２００１−３１１１６０号公報
【０００３】
【発明が解決しようとする課題】
しかしながら、このような従来の基礎上の空隙構造において外壁下地材を取り付ける際に、残り材が動いて外壁下地材が不安定であるため、一人で作業しづらいという問題があった。
また、残り材が外壁下地材の外側面からはみ出ていると、水切板の取り付け等の防水施工や、外壁の仕上施工の際に邪魔になるため、残り材を取り外さなければならず、その手間がかかるという問題もあった。
従って、本発明の目的は、基礎上の空隙構造において外壁下地材を取り付ける際に、外壁下地材を容易に取り付けることが可能な基礎上の空隙構造を提供することにある。
【０００４】
【課題を解決するための手段】
本発明は、建築物における基礎と土台との間に、基礎パッキンを所定の間隔毎に複数介在させて空隙を設けた構造において、前記基礎の上面に配設され且つ前記基礎パッキンと結合された外壁補助部材を備えており、前記外壁補助部材は、前記土台上に配設された建築構造材の外側に取り付けられた外壁下地材の下端に位置し、該外壁下地材の外側面からはみ出していないことを特徴とする基礎上の空隙構造を提供することにより前記目的を達成したものである。
【０００５】
本発明によれば、基礎の上面において基礎パッキンと結合させた外壁補助部材を、外壁下地材の下端に配置し、外壁下地材の外側面からはみ出さないようにしたため、外壁補助部材が外壁下地材の下方で動かずに安定すると共に、外壁補助部材の取り外す手間を省くことができ、外壁下地材を容易に取り付けることができる。
【０００６】
【発明の実施の形態】
以下、本発明の基礎上の空隙構造の好ましい一実施形態を図面を参照して説明する。
図１又は図３に示すように、本実施形態の基礎上の空隙構造１は、建築物における基礎２と土台３との間に、基礎パッキン１０を所定の間隔毎に複数介在させて空隙を設けた構造であり、基礎２の上面に配設され且つ基礎パッキン１０と結合された外壁補助部材２０を備えている。
外壁補助部材２０は、土台３上に配設された柱（建築構造材）３１の外側に取り付けられた外壁下地材３１の下端に位置し、外壁下地材３１の外側面からはみ出していない。かかる基礎上の空隙構造１を詳細に述べる。
【０００７】
本実施形態の基礎上の空隙構造１は、例えば、在来軸組工法、枠組壁工法等の何れかによらず、木造住宅を含む一般建築物に適用されるものであるが、本実施形態の場合、木造住宅に適用されるものである。
【０００８】
基礎２は、建築物の荷重を地面に伝えるもので、型枠に基礎コンクリートを流し込むことにより形成されている。基礎２の上部は、所定の幅（例えば１６０ｍｍ）に設定されている。なお、基礎２の上面や外側面には、モルタル２ａが塗装されている。
基礎２には、アンカーボルト２ｂが、基礎２の隅部分や土台３の継手部分に埋設されるほか、所定の間隔毎に埋設されている。アンカーボルト２ｂは、基礎２と土台３がずれないように一体化するもので、ネジ部が基礎２の上面から突出している。
【０００９】
土台３は、建築物の荷重を基礎２との間で緩衝するもので、断面が基礎２の幅より小さい外形寸法（例えば１０５ｍｍ×１０５ｍｍ）の水平部材である。土台３には、アンカーボルト２ｂ用の貫通孔３ａが形成されている。
【００１０】
外壁仕上材３０は、外壁塗装用の下地材で、例えば、きづれパネル（商品名）のように、通気性を有する耐力面材壁である。外壁下地材３０の幅は、基本モジュール（例えば９１０ｍｍ）の整数倍に設定されている。外壁下地材３０の厚さｔは、所定の値（例えば１５ｍｍ）に設定されている。外壁下地材３０は、土台３に立設された柱３１に固定される（詳細後述）。
【００１１】
図１又は図２に示すように、基礎パッキン１０は、基礎２と土台３との間に通気用の空隙を形成するもので、直方体ブロック状に形成された樹脂部材である。基礎パッキン１０の外形寸法は、幅Ｗ０×長さＬ０×高さＨ０である。基礎パッキン１０の中央部分には、アンカーボルト２ｂ用の貫通孔１１が十字状に形成されている。
【００１２】
基礎パッキン１０には、使用状況によって種々の外形寸法を用いたものがある。具体的には、基礎パッキン１０の幅Ｗ０又は長さＬ０の何れか一方又は双方が、土台３の外形寸法より小さく、例えば、土台３が１０５ｍｍ×１０５ｍｍの場合、幅Ｗ０×長さＬ０の寸法には、１００ｍｍ×１００ｍｍ、１００ｍｍ×１５０ｍｍ等がある。基礎パッキン１０の高さＨ０の寸法には、有効な換気面積を確保する観点等から、２０ｍｍ、２５ｍｍ等がある。
【００１３】
基礎パッキン１０は、柱３１の下方位置、アンカーボルト２ｂのある位置、土台３の継手部分の下端に設置されるほか、基本モジュール毎に土台３の芯線に合わせて設置されている。これにより、基礎パッキン１０は、外壁下地材３０の継ぎ目部分のある位置に必ず配置されることになる。
【００１４】
外壁補助部材２０は、基礎２の上面において基礎パッキン１０と結合した状態で外壁下地材３０の下端に配置されるもので、略直方体ブロック状に形成された樹脂部材である。本実施形態に用いられる外壁補助部材２０の外形寸法は、幅Ｗ１（例えば１８ｍｍ）×長さＬ１（例えば３０ｍｍ）×高さＨ１（例えば２４ｍｍ）である。
【００１５】
外壁補助部材２０の内側上部の稜線部分には、幅Ｗ１２×高さＨ１２の切欠き溝が形成されている。
これにより、外壁補助部材２０の上側部分には、幅Ｗ１１（１５ｍｍ）×高さＨ１２（４ｍｍ）の上側当接部２１が形成されると共に、外壁補助部材２０の内側部分には、幅Ｗ１２（３ｍｍ）×高さＨ１１（２０ｍｍ）の内側当接部２２が形成されている。
【００１６】
このような外壁補助部材２０の外形寸法は、以下に述べるように種々の観点から定められている。
上側当接部２１の幅Ｗ１１及び高さＨ１２は、土台３の下端と外壁下地材３０の下端との段差部分にぴったり嵌る観点から設定されており、その幅Ｗ１１は、外壁下地材３０の厚さｔと同一である。
【００１７】
内側当接部２２の幅Ｗ１２及び高さＨ１１は、土台３の外側面と基礎パッキン１０の外側面との段差部分にぴったり嵌る観点から設定されており、その高さＨ１１は、基礎パッキン１０の高さＨ０と同一である。
【００１８】
以上の点により、外壁補助部材２０の内側面が基礎パッキン１０の外側面に密着した場合、外壁補助部材２０（上側当接部２１）の上面に、外壁下地材３０を支持する支持面が形成され、その支持面と外壁下地材３０の下面が密着した状態で、外壁補助部材２０の外側面が、外壁下地材３０の外側面と同一面上に配置されることになる。
【００１９】
また、外壁補助部材２０の高さＨ１は、防水工事にあたって外壁下地材３０の下端を基礎２の上面から所定の高さに設置する観点から設定されている。
さらに、外壁補助部材２０の長さＬ１は、基礎パッキン１０の両側面からはみ出ず、かつ、基礎パッキン１０の外側面に複数結合させる観点から、基礎パッキン１０の長さＬ０より小さく、例えば３０ｍｍに設定されている。
【００２０】
外壁補助部材２０（内側当接部２２）の内側面には、突状係合部２３が設けられている。これに対し、基礎パッキン１０のすべての側面には、その突状係合部２３とぴったり嵌る位置決め孔１２が複数形成されている。
【００２１】
位置決め孔１２の位置は、高さ方向について、内側当接部２２の上面を基礎パッキン１０の上面に合わせるような位置であり、長さ及び幅方向について、外壁補助部材２０を外壁下地材３０の継ぎ目部分の下方に位置決めするような位置である。
【００２２】
次に、本実施形態の空隙構造１の使用態様を説明する。
図１又は図３に示すように、基礎パッキン１０を基礎２上の上記所定の位置に設置する。設計上、外壁下地材３０の継ぎ目部分の位置に該当する基礎パッキン１０を選定し、その基礎パッキン１０の側面のうち、外壁下地材３０を取り付ける側の側面に外壁補助部材２０を密着結合する。
一方、基礎２上に基礎パッキン１０を介して土台３を敷設し、アンカーボルト２ｂにナットを締結して土台３を固定した後、柱３１を土台３上に立設する。
【００２３】
そして、隣接する一対の外壁補助部材２０を目印にしてこれらの外壁補助部材２０に外壁下地材３０を渡し、その外壁下地材３０を柱３１に押さえつけながら釘で固定する。
この場合、外壁下地材３０は、基礎パッキン１０によって形成された基礎２と土台３との間の空隙を開放したまま、その下面が基礎２の上面から所定の高さに設置され、その外側面が外壁補助部材２０の外側面と同一面上になる。
【００２４】
その後、外壁下地材３０の外側面に防水シート（図示しない）を貼付し、外壁下地材３０の下部から外壁補助部材２０に亘って水切板３２を固定した後、その外壁下地材３０に縦胴縁３３を介してサイディング３４を取り付けることにより、外壁の仕上げを行う。
【００２５】
以上述べたように、本実施形態によれば、基礎２の上面において基礎パッキン１０と密着結合させた外壁補助部材２０を、外壁下地材３０の下端に配置してこれと密着するようにしたため、外壁下地材３０の下方で外壁補助部材２０が動かずに安定し、外壁下地材３０を容易に取り付けることができる。
【００２６】
また、本実施形態によれば、外壁補助部材２０を、その外側面が外壁下地材３０の外側面からはみ出さずにこれと同一面上にしたため、外壁補助部材２０は防水施工や外壁の仕上施工の際に邪魔にならない。
その結果、外壁補助部材２０を基礎パッキン１０に取り付けたままでも何ら支障がないため、それを取り外す手間を省くことができ、その一方で、外壁補助部材２０により外壁下地材３０を補助的に支持することもできる。
【００２７】
特に、上述したように外壁補助部材２０と外壁下地材３０とのそれぞれの外側面とを同一面上にした点と、外壁補助部材２０の高さＨ１を防水の観点から所定の値に設定した点により、外壁下地材３０を外壁補助部材２０上に載置するだけで水切板３２との関係上所望の高さに設置できると共に、水切板３２を外壁補助部材２０にも取り付けることによって強固に固定することができる。
【００２８】
さらに、本実施形態によれば、外壁補助部材２０用の位置決め孔１２を、基礎パッキン１０のすべての側面に複数形成したため、基礎パッキン１０の設置する向きを問わずに外壁補助部材２０の結合する側面を常に開放でき、また、入隅や出隅のような複数の外壁下地材３０が交差する部分に対し、一つの基礎パッキン１０に複数の外壁補助部材２０を結合することにより対応することができる。
その結果、基礎パッキン１０の設置状況によらず、基礎パッキン１０と外壁補助部材２０との結合する点について、これらの汎用性を高めることができる。
【００２９】
さらにまた、本実施形態によれば、外壁補助部材２０を基礎パッキン１０との結合により外壁下地材３０の継ぎ目部分の下端に位置決めするようにしたため、外壁下地材３０を設置する際に、外壁補助部材２０を目印にすることにより、外壁下地材３０の取り付けが容易になる。
【００３０】
本発明は、上記実施形態に限られることなく、種々の変更等を行うことができる。
上記実施形態において示した外壁補助部材２０の外形寸法は、一例にすぎず、基礎２及び土台３の幅、基礎パッキン１０の外形寸法、上記種々の観点に応じて適宜変更し得る。
【００３１】
また、基礎パッキン１０のすべての側面に位置決め孔１２を形成しなくても、基礎パッキン１０の対角線に対し一方側の二つの側面に位置決め孔１２を形成すれば、基礎パッキン１０を適宜反転して使用することにより、ほとんどの設置状況に対応することができる。
【００３２】
さらに、外壁補助部材２０の外側面を外壁下地材３０の外側面と同一面上にしなくても、これよりはみ出ないようにすれば所期の目的を達成することができる。
【００３３】
さらにまた、外壁補助部材２０を再利用する観点から、防水施工や外壁仕上施工の前に外壁補助部材２０を取り外してもよい。
【００３４】
さらに加えて、上記実施形態では、本発明の基礎上の空隙構造１にサイディング仕様を適用した例を示したが、これに限られず、モルタル仕様等を適用することもできる。
また、外壁構造材には、上記実施形態の柱３１のほか、外壁パネル等がある。
【発明の効果】
本発明によれば、基礎上の空隙構造において外壁下地材を取り付ける際に、外壁下地材を容易に取り付けることが可能な基礎上の空隙構造を得ることができる。
【図面の簡単な説明】
【図１】本実施形態の基礎上の空隙構造の概略構成を示す側方断面である。
【図２】同空隙構造における基礎パッキン及び外壁補助部材の概略構成を示す斜視図である。
【図３】同空隙構造の使用態様を説明する図である。
【符号の説明】
２  基礎
３  土台
１０  基礎パッキン
１２  位置決め孔
２０  外壁補助部材
２３  突状係合部
３０  外壁下地材
３１  柱（建築構造材）
【図１】
2004225461.tif 000003
【図２】
2004225461.tif 000004
【図３】
2004225461.tif 000005